(57)【要約】【課題】フレキシブル配線基板の屈曲による反発力によって表示パネルと面発光装置とが剥離することを防止し、表示パネルの表示輝度を適正に保つことができる表示装置を提供する。【解決手段】面発光装置１４の裏面側と制御基板１２との間には、粘着シート２２が設けられる。この粘着シート２２は、矩形の本体領域２２ａと、この本体領域２２ａから両側に翼状に張り出した分枝領域２２ｂとからなる。分枝領域２２ｂはフレキシブル配線基板１３寄りで本体領域２２ａから張り出している。この分枝領域２２ｂは側縁から面発光装置１４と液晶表示パネル１１とを抱き込むように折り返されて、液晶表示パネル１１の表示領域１１ａの外側に貼着される。【選択図】図３
2007171361.tif 000002
【特許請求の範囲】
【請求項１】
画像を表示する表示パネルと、この表示パネルを制御する電子部品が載置された制御基板と、前記表示パネルおよび前記制御基板とを電気的に接続する屈曲可能なフレキシブル配線基板と、表示パネルを裏面側から照明する面発光装置を備えた表示装置であって、
前記面発光装置の発光面の裏側と前記制御基板とを接合する本体領域と、前記本体領域から延び、前記面発光装置と前記表示パネルとを周縁側から密着させる分枝領域からなる粘着シートを前記面発光装置と前記制御基板との間に設けたことを特徴とする表示装置。
【請求項２】
前記粘着シートの本体領域は両側面に粘着材が配設され、前記分枝領域は片側面に粘着材が配設されていることを特徴とする請求項１に記載の表示装置。
【請求項３】
前記粘着シートの分枝領域は、前記表示パネルの表示領域の外側に粘着することを特徴とする請求項１または２に記載の表示装置。
【請求項４】
前記粘着シートの少なくとも前記分枝領域は、遮光性材料で形成されたことを特徴とする請求項１ないし３のいずれか１項に記載の表示装置。
【発明の詳細な説明】
【技術分野】
【０００１】
本発明は、表示パネルと制御基板とを接続するフレキシブル配線基板を備えた表示装置に関する。
【背景技術】
【０００２】
近年、携帯電話、携帯テレビ、携帯ゲーム機等の小型携帯機器において、小型の液晶表示装置（表示装置）の利用が拡大している。これらの小型携帯機器に組み込まれる液晶表示装置は、液晶表示パネルと、この液晶表示パネルを制御するための集積回路等を実装した制御基板とを備えている。そして、これら液晶表示パネルと制御基板とは、屈曲可能なフレキシブル配線基板で接続されている（例えば、特許文献１参照）。
【０００３】
このような液晶表示装置は、液晶表示パネルの裏面側に液晶表示パネルを照明する面発光装置（バックライト）が粘着シート等で貼り付けられ、更にこの面発光装置の裏面側に制御基板が粘着シート等で貼り付けられた層構成を成している。そして、フレキシブル配線基板は１８０°屈曲されて、面発光装置を介して上下層に位置する液晶表示パネルと制御基板とを接続している。
【特許文献１】特開２００４−１１７６５９号公報
【発明の開示】
【発明が解決しようとする課題】
【０００４】
しかしながら、上述したような表示装置において、面発光装置の照明光を液晶表示パネルに入射させるため、液晶表示パネルと面発光装置とは、周縁部だけに設けられた粘着シートによって密着されている。このため、周縁部だけで接続されているために粘着強度が小さい面発光装置と液晶表示パネルとが、面発光装置を介して上下層に位置する液晶表示パネルと制御基板とを接続するために１８０°屈曲されたフレキシブル配線基板の反発力（復元力）によって、フレキシブル配線基板寄りの位置から剥離してしまうという不具合が生じることがあった。面発光装置と液晶表示パネルとが一部でも剥離すると、面発光装置からの照明光が液晶表示パネルに均一な照度で入射されなくなり、液晶表示パネルの表示輝度にムラが生じて視認性が低下するという問題が生じる。
【０００５】
本発明は上記事情に鑑みてなされたもので、フレキシブル配線基板の屈曲による反発力によって表示パネルと面発光装置とが剥離することを防止し、表示パネルの表示輝度を適正に保つことができる表示装置を提供することを目的とする。
【課題を解決するための手段】
【０００６】
上記の目的を達成するために、本発明によれば、画像を表示する表示パネルと、この表示パネルを制御する電子部品が載置された制御基板と、前記表示パネルおよび前記制御基板とを電気的に接続する屈曲可能なフレキシブル配線基板と、表示パネルを裏面側から照明する面発光装置を備えた表示装置であって、前記面発光装置の発光面の裏側と前記制御基板とを接合する本体領域と、前記本体領域から延び、前記面発光装置と前記表示パネルとを周縁側から密着させる分枝領域からなる粘着シートを前記面発光装置と前記制御基板との間に設けたことを特徴とする表示装置が提供される。
【０００７】
前記粘着シートの本体領域は両側面に粘着材が配設され、前記分枝領域は片側面に粘着材が配設されていればよい。前記粘着シートの分枝領域は、前記表示パネルの表示領域の外側に粘着すればよい。また、前記粘着シートの少なくとも前記分枝領域は、遮光性材料で形成されればよい。
【発明の効果】
【０００８】
本発明の表示装置によれば、フレキシブル配線基板の屈曲による反発力で液晶表示パネルの裏面側と面発光装置とが剥離するような力が生じても、粘着シートに形成した分枝領域によって液晶表示パネルと面発光装置とを側縁から固定しているので、液晶表示パネルと面発光装置とがフレキシブル配線基板寄りで剥離してしまうことを確実に防止する。
【０００９】
しかも、こうした粘着シートの分枝領域は、液晶表示パネルの表示領域の外側に貼着されるので、表示領域が隠されたりすることも無く、面発光装置の光を液晶表示パネルの表示領域全体に均一に入射させることができる。これにより、液晶表示パネルに輝度ムラが生じたりすることもなく、液晶表示装置の視認性を良好に保つことが可能になる。
【発明を実施するための最良の形態】
【００１０】
以下、本発明に係る表示装置について、図面を参照して説明する。図１は、本発明の表示装置の一実施形態である、液晶表示装置を示す外観斜視図である。本実施形態に係る液晶表示装置（表示装置）１０は、上層から順に、画像を表示する液晶表示パネル（表示パネル）１１と、この表示パネル１１を裏面から照明する面発光装置（バックライト）１４と、表示パネル１１を制御する電子部品が載置された制御基板１２とを備えている。また、液晶表示パネル１１および制御基板１２とを電気的に接続するフレキシブル配線基板１３を備えている。
【００１１】
図２は、図１に示した液晶表示装置のＡ−Ａ線での断面図であり、図３は、液晶表示装置の分解斜視図である。液晶表示パネル１１は、液晶層や電極層など周知の層構造を有し、制御基板１２から出力される制御信号に応じて、表示領域１１ａに所定の画像を表示する。制御基板１２は、プリント配線基板１２ａ上に制御用ＩＣ１２ｂなどが実装されたものであり、表示する画像信号に応じて、フレキシブル配線基板１３を介して液晶表示パネル１１に制御信号を出力する。
【００１２】
面発光装置（バックライト）１４は、例えば透明な樹脂等からなる導光板と、この導光板に光を入射するＬＥＤ等の光源から構成される。こうした面発光装置１４は、発光面１４ａから照明光が均一に照射され、液晶表示パネル１１を裏面側から照明する。
【００１３】
フレキシブル配線基板１３は、可撓性の樹脂フィルムに銅などの導体薄膜からなる多数の導電パターンを形成したものであり、面発光装置１４を介して上下層に位置する液晶表示パネル１１と制御基板１２とを接続するために、ほぼ１８０°に屈曲されている（図１参照）。
【００１４】
液晶表示パネル１１の裏面側と面発光装置（バックライト）１４とは、周縁部で両面粘着テープ２１によって接続される。そして、この両面粘着テープ２１で囲われた部分が面発光装置１４の発光面１４ａとされる。このように、液晶表示パネル１１の裏面側と面発光装置（バックライト）１４とを周縁部だけで接続することにより、面発光装置１４の照明光を液晶表示パネル１１に裏面側から入射させることができる。
【００１５】
一方、面発光装置（バックライト）１４の裏面側と制御基板１２との間には、粘着シート２２が設けられる。この粘着シート２２は、矩形の本体領域２２ａと、この本体領域２２ａから両側に翼状に張り出した分枝領域２２ｂとからなる（図３参照）。粘着シート２２の本体領域２２ａは、両面に粘着材が形成され、面発光装置１４の裏面側と制御基板１２とを全面で接着する。
【００１６】
分枝領域２２ｂはフレキシブル配線基板１３寄りで本体領域２２ａから張り出している。この分枝領域２２ｂは、図３中の上面側だけに粘着材が形成され、側縁から面発光装置１４と液晶表示パネル１１とを抱き込むように折り返されて、液晶表示パネル１１の表示領域１１ａの外側に貼着される（図１参照）。このような構成により、液晶表示パネル１１と面発光装置１４とは、両面粘着テープ２１によって表示領域の周縁部で貼着されるとともに、粘着シート２２の分枝領域２２ｂによってフレキシブル配線基板１３側で側縁から固定される。
【００１７】
以上のような構成によって、液晶表示パネル１１の裏面側と面発光装置（バックライト）１４とがフレキシブル配線基板１３の屈曲による反発力によって剥離するような力が生じても、粘着シート２２に形成した翼状の分枝領域２２ｂによって液晶表示パネル１１と面発光装置１４とを側縁から固定しているので、液晶表示パネル１１と面発光装置１４とがフレキシブル配線基板１３寄りで剥離してしまうことを確実に防止する。
【００１８】
しかも、こうした粘着シート２２の分枝領域２２ｂは、液晶表示パネル１１の表示領域１１ａの外側に貼着されるので、表示領域が隠されたりすることも無く、面発光装置１４の光を液晶表示パネル１１の表示領域１１ａ全体に均一に入射させることができる。これにより、液晶表示パネル１１に輝度ムラが生じたりすることもなく、液晶表示装置１０の視認性を良好に保つことができる。
【００１９】
なお、こうした粘着シート２２の分枝領域２２ｂを遮光性シート等で構成することによって、液晶表示パネル１１の表示領域１１ａの外側から迷光が侵入して視認性が低下することを防止することも可能である。
【００２０】
こうした液晶表示装置（表示装置）１０の組み立ては、図３に示すように、まず、液晶表示パネル１１の裏面側と面発光装置（バックライト）１４とを周縁で両面粘着テープ２１によって貼着する。次に、フレキシブル配線基板１３を１８０°屈曲させて、面発光装置１４の裏面側と制御基板１２とを粘着シート２２の本体領域２２ａで貼着する。最後に粘着シート２２の分枝領域２２ｂを上方に折り返して、液晶表示パネル１１の表示領域１１ａの外側に貼着すればよい。また、本実施形態では、本体領域および分枝領域に粘着材を全面的に形成したが、粘着材を部分的に、例えば枠状、帯状に配設してもよい。
【００２１】
なお、上述した実施形態では、表示パネルとして液晶表示パネルを挙げたが、これ以外にも、フレキシブル配線基板を有する各種表示装置に採用可能である。
【図面の簡単な説明】
【００２２】
【図１】本発明の表示装置の一例を示す外観斜視図である。
【図２】図１のＡ−Ａ線での断面図である。
【図３】本発明の表示装置の分解斜視図である。
【符号の説明】
【００２３】
１０…液晶表示装置（表示装置）、１１…液晶表示パネル（表示パネル）、１２…制御基板、１３…フレキシブル配線基板、１４…面発光装置（バックライト）、２２…粘着シート、２２ａ…本体領域、２２ｂ…分枝領域。
【図１】
2007171361.tif 000003
【図２】
2007171361.tif 000004
【図３】
2007171361.tif 000005